(57)【要約】【課題】樋本体をトンネル内壁から取り外すことなく、容易に掃除して樋詰まりを防止できる漏水用樋を提供する。【解決手段】漏水用樋１を、トンネル内壁２に沿って配置される樋本体３と、この樋本体３内に挿脱自在に挿入されて、漏水に混入している土砂等の混入物を捕獲可能で、かつ、透水可能なフィルター４とを備えた構成とする。そして、フィルター４に混入物が一定量溜まってきたら、このフィルター４を樋本体３から引張り出すとともに、新たなフィルター４を樋本体３に挿入することによって、樋本体３をトンネル内壁から取り外すことなく、容易に掃除して樋詰まりを防止できる。【選択図】図４
2005120683.tif 000002
【特許請求の範囲】
【請求項１】
トンネル内壁に沿って配置され、トンネル内壁からの漏水を排水部に導くための漏水用樋であって、
前記トンネル内壁に沿って配置される樋本体と、この樋本体内に挿脱自在に挿入されて、漏水に混入している土砂等の混入物を捕獲可能で、かつ、透水可能なフィルターとを備えていることを特徴とする漏水用樋。
【請求項２】
請求項１に記載の漏水用樋において、
前記フィルターは、不透水性のシートと、このシートに固着され、漏水に混入している土砂等の混入物を捕獲可能で、かつ、透水可能なフィルター材とを備えており、
前記シートは前記フィルター材より引張り強さが大きいことを特徴とする漏水用樋。
【請求項３】
請求項１または２に記載の漏水用樋において、
前記樋本体の端部には、前記フィルターを樋本体内に挿脱する挿脱口を開閉可能な蓋が設けられていることを特徴とする漏水用樋。
【請求項４】
請求項１〜３のいずれか一項に記載の漏水用樋において、
前記フィルターの端部には、このフィルターに次のフィルターを接続するための、接続部が設けられていることを特徴とする漏水用樋。
【発明の詳細な説明】
【技術分野】
【０００１】
本発明は、トンネル内壁からの漏水を排水部に導くための漏水用樋に関する。
【背景技術】
【０００２】
例えば、トンネル等の内壁に漏水が発生した場合、特許文献１に記載されているように漏水防止樋（漏水用樋）を漏水部分に沿って取り付け、漏水を漏水防止樋に受け、これに沿って流し、トンネル内の両側の側溝（排水部）などに排水する方法がとられている。
【０００３】
前記漏水防止樋（漏水用樋）は深さの浅い角樋状に形成されたものであって、トンネルのコンクリートの内壁に沿って配置するとともに漏水防止樋の両側に一体に設けたパッキンを内壁に当接し、漏水防止樋の両側をボルト等の固定具にて内壁に固定していた。
このような漏水用樋は、トンネル内壁に漏水が生じた際に、その漏水箇所のトンネル内壁に取付けられるものである。
【特許文献１】特開平１０−３７６９４号公報
【発明の開示】
【発明が解決しようとする課題】
【０００４】
ところで、トンネル内壁からの漏水には、地山の土砂や有機物、バクテリア等が混入しており、これら混入物は漏水用樋の内面に付着してりして次第に増加したり、繁殖していき、漏水用樋が詰まってしまうので、定期的に漏水用樋をトンネル内壁面から取り外して、該漏水用樋内を掃除する必要がある。
漏水用樋を取り外すには、この漏水用樋を固定しているボルト等の固定具を全て取り外す必要があるとともに、漏水用樋がトンネルの内壁頂部付近にも固定されている場合、足場も必要となるので、相当の手間がかかるとともに、作業者に負担を強いることになり、さらには、掃除した後、再び漏水用樋をトンネル内壁に固定する手間もかかる。
【０００５】
本発明は上記事情に鑑みてなされたもので、樋本体をトンネル内壁から取り外すことなく、容易に掃除して樋詰まりを防止できる漏水用樋を提供することを目的としている。
【課題を解決するための手段】
【０００６】
上記目的を達成するために、請求項１に記載の発明は、例えば図１〜図４に示すように、トンネル内壁２に沿って配置され、トンネル内壁２からの漏水を排水部１７に導くための漏水用樋１であって、
前記トンネル内壁２に沿って配置される樋本体３と、この樋本体３内に挿脱自在に挿入されて、漏水に混入している土砂等の混入物を捕獲可能で、かつ、透水可能なフィルター４とを備えていることを特徴とする。
【０００７】
ここでフィルターとしては、合成樹脂製の細い繊維を絡み合わせてなるものや、内部に細かい空洞が多数ある発泡樹脂等で構成すればよい。
このフィルターを樋本体内に挿脱する場合、樋本体の端部や途中にフィルター挿脱用の開口を設けておき、この開口から挿入すればよい。この開口には蓋を設けておくのが望ましい。
【０００８】
請求項１に記載の発明によれば、漏水用樋が樋本体と、この本体内に挿脱自在に挿入されるフィルターとを備えているので、トンネル内壁からの漏水は樋本体内においてフィルター中を流れて排水部に排水され、漏水に混入している土砂等の混入物はフィルターによって捕獲されて、排水部には排出されない。そして、フィルターに混入物が一定量溜まってきたら、このフィルターを樋本体から引張り出すとともに、新たなフィルターを樋本体に挿入することによって、樋本体をトンネル内壁から取り外すことなく、容易に掃除して樋詰まりを防止できる。
【０００９】
請求項２に記載の発明は、請求項１に記載の漏水用樋において、
前記フィルター４は、不透水性のシート１０と、このシート１０に固着され、漏水に混入している土砂等の混入物を捕獲可能で、かつ、透水可能なフィルター材１１とを備えており、
前記シート１０は前記フィルター材１１より引張り強さが大きいことを特徴とする。
【００１０】
ここで、前記シートは、フィルター材のトンネル内壁に接する表面以外の面、つまり樋本体の内面に対向する面を覆うようにして設けるのが望ましい。
また、シートはフィルター材より樋本体に対する摩擦係数が小さいものが好ましい。
【００１１】
請求項２に記載の発明によれば、フィルターを樋本体から引張り出す際に、シートを掴んで引っ張り出すことによって、フィルター材が破断したり、延びきってしまうのを防止して、フィルターを容易かつ確実に引張り出すことができる。
また、混入物が溜まった古いフィルターを引張り出す際に、このフィルターのシート後端部に次の新たなフィルターのシート先端部を接続することによって、古いフィルターを引張り出すとともに、新たなフィルターを樋本体内にフィルター材が破断したり、延びきってしまうのを防止して、容易かつ確実に引張って挿入できる。
【００１２】
請求項３に記載の発明は、請求項１または２に記載の漏水用樋において、
前記樋本体３の端部には、前記フィルター４を樋本体内に挿脱する挿脱口を開閉可能な蓋１５が設けられていることを特徴とする。
【００１３】
請求項３に記載の発明によれば、樋本体の端部に挿脱口を開閉可能な蓋が設けられているので、通常時は蓋を閉じておくことによって、トンネル内壁からの漏水が前記挿脱口から外部に漏れ出すのを防止して、漏水を確実に排水部に排水でき、また、フィルター交換時は蓋を開けることによって、樋本体をトンネル内壁から取り外すことなく、容易にフィルターを交換できる。
【００１４】
請求項４に記載の発明は、請求項１〜３のいずれか一項に記載の漏水用樋において、
前記フィルター４の端部には、このフィルター４に次のフィルターを接続するための、接続部１２が設けられていることを特徴とする。
【００１５】
ここで、前記接続部としては、例えば、ホックやファスナー等でもよく、さらには、互いに係脱可能に係合する金具でもよい。
また、フィルターが上述したように、不透水性のシートと、このシートに固着された透水可能なフィルター材とから構成されている場合、前記接続部はシートに設ける。
【００１６】
請求項４に記載の発明によれば、フィルターの端部には接続部が設けられているので、混入物が溜まった古いフィルターを樋本体から引張り出す際に、このフィルター後端部の接続部に次の新たなフィルター先端部の接続部を接続することによって、古いフィルターを引張り出すと同時に、新たなフィルターを樋本体内に引張って挿入できる。
【発明の効果】
【００１７】
本発明によれば、漏水用樋が、樋本体とこの本体内に挿脱自在に挿入されるフィルターとを備えているので、フィルターに混入物が一定量溜まってきたら、このフィルターを樋本体から引張り出すとともに、新たなフィルターを樋本体に挿入することによって、樋本体をトンネル内壁から取り外すことなく、容易に掃除して樋詰まりを防止できる。
また、フィルターを、不透水性のシートと、このシートに固着されたフィルター材とによって構成することによって、シートを掴んで引っ張り出すことによって、フィルターを容易かつ確実に外部に引張り出すことができ、また、引張って樋本体に挿入できる。
さらに、樋本体の端部に挿脱口を開閉可能な蓋を設けることによって、漏水が挿脱口から外部に漏れ出すのを防止して、漏水を確実に排水部に排水でき、また、蓋を開けることによって、樋本体をトンネル内壁から取り外すことなく、容易にフィルターを交換できる。
また、フィルターの端部に接続部を設けることによって、フィルター交換時に、混入物が溜まった古いフィルター後端部の接続部に次の新たなフィルター先端部の接続部を接続することによって、古いフィルターを引張り出すと同時に、新たなフィルターを樋本体内に引張って挿入できる。
【発明を実施するための最良の形態】
【００１８】
以下、図面を参照して本発明に実施の形態について説明する。
図１は、本発明に係る漏水用樋１をトンネル内壁２に配置した状態を示すトンネル内の斜視図、図２は同横断面図である。
本実施の形態では、漏水用樋１は、トンネル内壁２に沿ってアーチ状に構成されたものが２本トンネル軸方向に所定間隔で配置されている。
【００１９】
前記漏水用樋１は、図２〜図４に示すように、樋本体３とフィルター４とを備えて構成されている。樋本体３は両側にフランジ部３ａ，３ａを有する横断面略コ字のものであり、フランジ部３ａ，３ａをトンネル内壁２にパッキン材５を介して当接し、ボルトやアンカー等の固定材６をフランジ部３ａおよびパッキン材５を通して地山にねじ込むことによって、トンネル内壁２に取付けられている。
また、樋本体３は、図３に示すように、その長手方向、つまりトンネルの周方向において複数の樋構成体７を接続することによって構成されており、隣接する樋構成体７，７の接続部には、防水テープ等が貼着され、これによって接続部からの水漏れを防止している。なお、本例では樋本体３がトンネルの周方向に延在するように長いため、複数の樋構成体７を接続することによって樋本体３を構成しているが、樋本体３が短い場合、例えば、トンネル内壁の側面から漏水しているような場合は、樋本体３が短くてすむため、樋本体３を比較的長めの一つの樋構成体で構成してもよい。
【００２０】
前記フィルター４は、樋本体３内に挿脱自在に挿入されて、漏水に混入している土砂等の混入物を捕獲可能で、かつ、透水可能なものである。フィルター４はその横断面が、樋本体３の内部の横断面とほぼ等しい長方形状のものであり、樋本体３とほぼ等しい長さを有している。
また、フィルター４は、図４に示すように、不透水性の帯状のシート１０と、このシート１０に接着剤等によって固着されたフィルター材１１とによって構成されている。
シート１０は横断面略コ字状に形成されており、フィルター材１１のトンネル内壁２に接する表面以外の面、つまり樋本体３の内面に対向する面を覆うようにして設けられている。さらに、シート１０はフィルター材１１より引張り強さが大きく、かつ、樋本体３の内面に対する摩擦係数が小さい材料で形成されている。
【００２１】
前記フィルター材１０は、漏水に混入している土砂等の混入物を捕獲可能で、かつ、透水可能なものであり、例えば、合成樹脂製の細い繊維を絡み合わせて帯状に成形することによって、内部に漏水が通過可能な通水路が形成され、漏水に混入している土砂等の混入物は細い繊維によって捕獲できるように構成したものである。
【００２２】
上記のような構成のフィルター４は、樋本体３の長さとほぼ等しく、横断面形状もほぼ等しいため、樋本体３内に隙間なく挿入されている。また、図５に示すように、フィルター４を構成する帯状のシート１０の両端部には、それぞれ接続部１２が設けられている。
この接続部１２は、フィルター４，４どうしを接続するためのものであり、例えば、面ファスナーによって構成されている。
【００２３】
また、樋本体３の両端部には、図３に示すように、それぞれフィルター４を樋本体３内に挿脱する挿脱口を開閉可能な蓋１５が設けられている。この蓋１５は樋本体３の端部にヒンジ１６によって開閉可能に取付けられており、蓋１５を閉じた状態では前記挿脱口は水密に閉鎖されるようになっている。
樋本体３の両端面は、それぞれ開口しており、その下方には排水部１７が設置されている。排水部１７は、例えばトンネルの軸方向に延在するＵ字溝で構成されており、樋本体３とフィルター４とで構成された漏水用樋１中を流れてきた漏水を、外部に排出するようになっている。
【００２４】
以上のように構成された漏水用樋１は、トンネル内壁２の漏水が生じた部分に取り付けられる。この場合、漏水用樋１の樋本体３には、予め前記フィルター４が、そのシート１０を樋本体３の内面に当接した状態で挿入されている。そして、図４に示すように、樋本体３のフランジ部３ａ，３ａをトンネル内壁２にパッキン材５を介して当接し、ボルトやアンカー等の固定材６をフランジ部３ａおよびパッキン材５を通して地山にねじ込むことによって、漏水用樋１をトンネル内壁２に取付ける。
そして、トンネル内壁からの漏水は樋本体３内においてフィルター４のフィルター材１１中を流れて排水部１７に排水される一方、漏水に混入している土砂等の混入物はフィルター材１１によって捕獲されて、排水部１７には排出されない。
そして、フィルター４のフィルター材１１に土砂等の混入物が一定量溜まってきたら、この使用済みフィルター４を樋本体３から引張り出す。
【００２５】
この場合、樋本体３の両端部に設けられている蓋１５，１５のうち一方の蓋１５を開けて、使用済みフィルター４のシート１０の先端部を掴んで引張り出すのであるが、その前に他方の蓋１５を開けて、使用済みフィルター４のシート１０の後端部に設けられている接続部１２に、次の新たなフィルター４のシート１０の先端部に設けられている接続部１２を係合して接続する（図５参照）。
その後、使用済みフィルター４のシート１０の先端部を掴んで引張り出すと、このフィルター４が樋本体３から引張り出されるとともに、このフィルター４の後端部に接続されている次の新たなフィルター４が樋本体３内に引張られて挿入される。そして、使用済みフィルター４全体が樋本体３から引張り出されると、それと同時に新たなフィルター４全体が樋本体３内に挿入され、これによって、フィルター４の交換が終了する。
【００２６】
このように本実施の形態では、フィルター４に混入物が一定量溜まってきたら、この使用済みのフィルター４を樋本体３から引張り出すとともに、新たなフィルター４を樋本体３に挿入することによって、樋本体３をトンネル内壁２から取り外すことなく、容易に掃除して樋詰まりを防止できる。
また、フィルター４のシート１０はフィルター材１１より引張り強さが大きいので、フィルター４を樋本体３から引張り出す際に、シート１０を掴んで引っ張り出すことによって、フィルター材１１が破断したり、延びきってしまうのを防止して、フィルター４を容易かつ確実に引張り出すことができる。
さらに、シート１０はフィルター材１１の樋本体３の内面に対向する面を覆うようにして設けられているとともに、樋本体３の内面に対する摩擦係数がフィルター材１１より小さいので、シート１０と樋本体３との間の摩擦力が小さくなり、よって、フィルター４を容易に樋本体３から引張り出すことができる。
また、シート１０はフィルター材１１の樋本体３の内面に対向する面を覆うようにして設けられているので、フィルター材１１に溜まっている土砂等の混入物を樋本体３に残すこともない。
【００２７】
さらに、フィルター４の端部には接続部１２が設けられているので、使用済みのフィルター４を樋本体３から引張り出す際に、このフィルター後端部の接続部１２に次の新たなフィルター先端部の接続部１２を接続することによって、使用済みフィルター４を引張り出すと同時に、新たなフィルター４を樋本体内に引張って挿入できる。よって、フィルター交換を素早く行える。この際においても、新たなフィルター４のフィルター材１１が破断したり、延びきってしまうのを防止して、新たなフィルター４を樋本体３内に容易かつ確実に引張って挿入できる。
また、樋本体３の端部に挿脱口を開閉可能な蓋１５が設けられているので、通常時は蓋１５を閉じておくことによって、トンネル内壁からの漏水が挿脱口から外部に漏れ出すのを防止して、漏水を確実に排水部１７に排水でき、また、フィルター交換時は蓋１５を開けることによって、樋本体３をトンネル内壁２から取り外すことなく、容易にフィルターを交換できる。
【００２８】
なお、本実施の形態では、漏水用樋１をトンネル内壁２に沿ってアーチ状に配置したが、これに限ることなく、漏水用樋１はトンネル内壁２の漏水箇所に適宜設ければよい。
また、本実施の形態では、漏水用樋１の両端部にそれぞれフィルター４用の挿脱口を設け、この挿脱口を開閉する蓋１５を設けたが、挿脱口とこれを開閉する蓋は、例えば、漏水用樋１の途中に一つまたは複数設けてもよい。このようにすれば、フィルター４の使用済み箇所を集中的に交換できる。その場合、フィルター４のどの部分が汚れているかを知ることが必要であるので、樋本体３を透明な材料で形成するのが望ましい。
【図面の簡単な説明】
【００２９】
【図１】本発明に係る漏水用樋が設けられたトンネル内部を示す斜視図である。
【図２】本発明に係る漏水用樋が設けられたトンネルの横断面図である。
【図３】図１におけるＸ円部の拡大図である。
【図４】本発明に係る漏水用樋の横断面図である。
【図５】本発明に係る漏水用樋のフィルターの端部を示す側面図である。
【符号の説明】
【００３０】
１  漏水用樋
２  トンネル内壁
３  樋本体
４  フィルター
１０  シート
１１  フィルター材
１２  接続部
１５  蓋
１７  排水部
【図１】
2005120683.tif 000003
【図２】
2005120683.tif 000004
【図３】
2005120683.tif 000005
【図４】
2005120683.tif 000006
【図５】
2005120683.tif 000007